(57)【特許請求の範囲】
【請求項１】
汚水槽に設置された汚水排出用のポンプ又は前記ポンプを駆動するポンプ駆動回路又は前記ポンプ駆動回路を制御するポンプ制御回路に接続可能とされ、前記ポンプ又は前記ポンプ駆動回路へポンプ駆動信号を出力し、又は前記ポンプ制御回路へ所定形式の信号を出力して、前記ポンプを駆動する液面水位計であって、
前記汚水槽内の汚水の水位を検出する水位検出手段と、
それぞれ異なるポンプ運転方式に対応した１つ以上のポンプ駆動信号の設定および前記ポンプ制御回路に応じた１つ以上の所定形式の信号の設定が記憶された記憶手段と、
前記１つ以上のポンプ駆動信号の設定および前記１つ以上の所定形式の信号の設定の中からいずれかの設定を選択するモード切換スイッチと、
前記モード切換スイッチにより選択された前記ポンプ駆動信号の設定に基づき、前記水位検出手段が検出した水位に応じた駆動内容の前記ポンプ駆動信号を前記ポンプ又は前記ポンプ駆動回路へ出力し、又は前記モード切換スイッチにより選択された前記所定形式の信号の設定に基づき、前記水位検出手段が検出した水位に応じた駆動内容の前記所定形式の信号を前記ポンプ制御回路へ出力する制御手段と、
を備えることを特徴とする液面水位計。
【発明の詳細な説明】
【０００１】
【発明の属する技術分野】
本発明は、マンホール等の汚水槽の水位を検知する液面水位計に関する。
【０００２】
【従来の技術】
従来の汚水槽の水位制御システム１は、図７に示すように、各家庭より排出された汚水を一時的に貯留する汚水槽２と、汚水槽２内の汚水の水位６を検出する液面水位計３と、汚水槽２内に設置されて汚水槽２内の汚水を汚水槽２外へ排出する例えば２台の水中ポンプ４ａ，４ｂと、液面水位計３による検出結果に基づいて水中ポンプ４ａ，４ｂを運転制御する制御盤５とを備えて構成される。
【０００３】
液面水位計３は、制御盤５内に収納配置されており、例えば気泡式水位計として構成され、空気を送るエアポンプ８と、エアポンプ８から吐出された空気を汚水槽２内の汚水中の水底辺りに案内するチューブ１０と、チューブ１０の端部に装着された空気吹出口１２と、チューブ１０に接続されて汚水槽２の水位６に応じて変化するチューブ１０内の圧力を検出し、検出した圧力に応じた内容の水位信号を所定形式で制御盤２へ出力する圧力スイッチ１１とを備える。
【０００４】
制御盤５は、液面水位計３から受け取る所定形式の水位信号（例えば自己保持形式に従う信号）を単独交互運転又は並列交互運転のいずれか一方のポンプ運転方式に従うポンプ駆動信号に変換するポンプ制御回路１４と、ポンプ制御回路１４で変換されて得られるポンプ駆動信号に従って水中ポンプ４ａ、４ｂを駆動するポンプ駆動回路１５とを備える。
【０００５】
このように従来では、液面水位計３から出力される所定形式の水位信号は、一旦ポンプ制御回路１４を介して単独交互運転又は並列交互運転のいずれか一方のポンプ運転方式に従うポンプ駆動信号に変換され、そのポンプ駆動信号に従ってポンプ駆動回路により水中ポンプ４ａ，４ｂが単独交互運転又は並列交互運転されていた。
【０００６】
【発明が解決しようとする課題】
しかしながら、ポンプ制御回路１４は、水中ポンプ４ａ，４ｂのポンプ運転方式によりその回路構成や回路設定などが異なるほか、同じポンプ運転方式であっても使用する液面水位計３の種類（気泡式又は投げ込み式など）によりその回路構成が異なるため（例えば出力保持リレー等の有無など）、そのポンプ制御回路１４を内蔵する制御盤５の回路構成は、一般的に統一性が無く複雑であるという問題がある。
【０００７】
そこで、この発明の課題は、第１に制御盤内の回路構成の簡素化及び統一化に貢献する液面水位計を提供すること、第２に回路構成の簡素化及び統一化された先の制御盤だけでなく、従来の制御盤にも使用できる互換性を備えた液面水位計を提供することにある。
【０００８】
【課題を解決するための手段】
上記課題を解決するためには、この発明は、汚水槽に設置された汚水排出用のポンプ又は前記ポンプを駆動するポンプ駆動回路又は前記ポンプ駆動回路を制御するポンプ制御回路に接続可能とされ、前記ポンプ又は前記ポンプ駆動回路へポンプ駆動信号を出力し、又は前記ポンプ制御回路へ所定形式の信号を出力して、前記ポンプを駆動する液面水位計であって、前記汚水槽内の汚水の水位を検出する水位検出手段と、それぞれ異なるポンプ運転方式に対応した１つ以上のポンプ駆動信号の設定および前記ポンプ制御回路に応じた１つ以上の所定形式の信号の設定が記憶された記憶手段と、前記１つ以上のポンプ駆動信号の設定および前記１つ以上の所定形式の信号の設定の中からいずれかの設定を選択するモード切換スイッチと、前記モード切換スイッチにより選択された前記ポンプ駆動信号の設定に基づき、前記水位検出手段が検出した水位に応じた駆動内容の前記ポンプ駆動信号を前記ポンプ又は前記ポンプ駆動回路へ出力し、又は前記モード切換スイッチにより選択された前記所定形式の信号の設定に基づき、前記水位検出手段が検出した水位に応じた駆動内容の前記所定形式の信号を前記ポンプ制御回路へ出力する制御手段と、を備えるものである。
【００１０】
【発明の実施の形態】
以下、本発明の第１実施形態を図１ないし図６に基づいて説明する。
【００１１】
＜液面水位計の構成＞
この実施形態に係る液面水位計３Ａは、例えば気泡式水位計として構成されており、図１及び図２に示すように、エアポンプ８と、エアポンプ８から吐出された空気を汚水槽２内の汚水中の水底に案内するチューブ１０と、チューブ１０の端部に装着された空気吹出口１２と、チューブ１０に接続されチューブ１０内の圧力（背圧）を検出する圧力センサ１６と、モード切換スイッチ１７と、圧力センサ１６が検出した圧力に応じた内容の信号をモード切換スイッチ１７により選択された出力方式で出力する制御部１８とを備える。
【００１２】
制御部１８は、メモリ１８ａを搭載して構成される。このメモリ１８ａには、単独交互運転及び並列交互運転のポンプ運転方式に従う各ポンプ駆動信号の設定、並びに自己保持及び水位出力の各形式の水位信号（所定形式の信号）の設定が登録（記憶）されている（これら信号の具体的な設定内容は後述する）。これら各信号の設定（出力方式）は、モード切換スイッチ１７により択一的に選択されるようになっている。
【００１３】
ここで、単独交互運転及び並列交互運転の運転方式に従う各ポンプ駆動信号は、従来例で述べたポンプ制御回路１４がポンプ駆動回路１５へ出力するポンプ駆動信号と同一の信号であり、また、自己保持及び水位出力の各形式の水位信号は、自己保持の場合は、従来例で述べた圧力スイッチ１１からポンプ制御回路１４へ出力される水位信号と同一の信号であり、水位出力の場合は、従来例で述べた液面水位計３が投げ込み式の場合においてその液面水位計３からポンプ制御回路１４へ出力される水位信号と同一の信号である。
【００１４】
また、制御部１８は、圧力センサ１６が検出した汚水槽２内の水位６に応じて変化するチューブ１０内の圧力から汚水槽２内の水位６を算出し、モード切換スイッチ１７により選択された上記信号の設定に基づいて接点をオン・オフさせて、算出した水位６に応じた内容の信号、具体的には上記ポンプ駆動信号又は上記各形式の水位信号を出力する。なお、検出した圧力から汚水槽２内の水位６を算出する際に必要な演算式等は、例えば予めメモリ１８ａに設定されている。
【００１５】
モード切換スイッチ１７には、メモリ１８ａに登録された各信号の設定（単独交互運転、並列交互運転、自己保持および水位出力の各信号の設定）に対応した選択モード（単独交互運転モード、並列交互運転モード、自己保持モードおよび水位出力モード）が用意されている。操作員の手動操作により、これらのモードの中から使用状況に応じた最適なモードが択一的に選択されると、その選択結果がモード切換スイッチ１７から制御部１８へ出力され、制御部１８からは、その選択結果により特定された信号の設定に基づき、上述したように、算出した水位６に応じた内容の信号が出力される。
【００１６】
＜液面水位計の使用例＞
図１は、上述の液面水位計３Ａに登録された上記信号の設定として単独交互運転モード又は並列交互運転モードのいずれかを選択して液面水位計３Ａを使用する場合における汚水槽の水位制御システムを説明する図である。
【００１７】
この汚水槽の水位制御システム１Ａは、各家庭より排出された汚水を一時的に貯留する汚水槽２と、汚水槽２内に設置されて汚水槽２内の汚水を汚水槽２外へ排出する例えば２台の水中ポンプ４ａ，４ｂと、上記液面水位計３Ａと、水中ポンプ４ａ，４ｂを駆動するポンプ駆動回路１５を搭載した制御盤５Ａとを備えて構成される。
【００１８】
液面水位計３Ａは、制御盤５Ａ内に収納配設された状態でポンプ駆動回路１５に接続される。そして、この液面水位計３Ａは、上述のようにして汚水槽２内の水位６を検出し、モード切換スイッチ１７により選択されたモード（ここでは単独交互運転モード又は並列交互運転モードのいずれか一方のモード）に対応した上述のポンプ駆動信号の設定に基づいて、その検出した水位６に応じた駆動内容のポンプ駆動信号を、その制御部１８からポンプ駆動回路１５へ出力する。そして、ポンプ駆動回路１５は、制御部１８から受け取るポンプ駆動信号に従って水中ポンプ４ａ，４ｂを単独交互運転又は並列交互運転する。
【００１９】
このように、この水位制御システム１Ａでは、液面水位計３Ａからポンプ駆動信号を出力させて、そのポンプ駆動回路を直接に制御盤５Ａ内のポンプ駆動回路１５に入力させるようにして液面水位計３Ａを使用するため、このシステム１Ａにおける制御盤５Ａには、従来例で述べたポンプ制御回路１４（即ち交互リレーや出力保持リレーなどを含む回路）が備えられていない。
【００２０】
次に、図２は、上述の液面水位計３Ａに登録された上記信号の設定として自己保持モード又は水位出力モードのいずれかを選択して液面水位計３Ａを使用する場合における汚水槽の水位制御システムを説明する図である。
【００２１】
この汚水槽の水位制御システム１Ｂは、各家庭より排出された汚水を一時的に貯留する汚水槽２と、汚水槽２内に設置されて汚水槽２内の汚水を汚水槽２外へ排出する例えば２台の水中ポンプ４ａ，４ｂと、上述の液面水位計３Ａと、従来例で説明したものと同様の制御盤５（即ちポンプ制御回路１４およびポンプ駆動回路１５の両方を搭載した制御盤）とを備えて構成される。
【００２２】
液面水位計３Ａは、制御盤５内に収納配設された状態でポンプ制御回路１４に接続される。そして、液面水位計３Ａは、上述のようにして汚水槽２内の水位６を検出し、モード切換スイッチ１７により選択されたモード（ここでは自己保持モード又は水位出力モードのいずれか一方のモード）に対応した上記形式の水位信号の設定に基づいて、その検出した水位６に応じた内容の水位信号を、その制御部１８からポンプ制御回路１４へ出力する。
【００２３】
ポンプ制御回路１４は、液面水位計３Ａの制御部１８から受け取る所定形式（自己保持形式又は水位出力形式）の水位信号を、単独交互運転又は並列交互運転のいずれか一方の運転方式に従うポンプ駆動信号に変換してポンプ駆動回路１５へ出力する。そして、ポンプ駆動回路１５は、ポンプ制御回路１４から受け取るポンプ駆動信号に従って水中ポンプ４ａ，４ｂを駆動する。
【００２４】
ここで、ポンプ制御回路１４の回路構成は、ポンプ制御回路１４に入力される水位信号の形式に応じて異なる。例えばポンプ制御回路１４に入力される信号が自己保持形式の信号である場合は、ポンプ制御回路１４の回路構成は交互リレーを備えて構成され、ポンプ制御回路１４に入力される信号が水位出力形式の信号である場合は、ポンプ制御回路１４の回路構成は交互リレー及び出力保持リレーを備えて構成される。なお、いずれの場合も、ポンプ制御回路１４から出力される上記ポンプ駆動信号を単独交互運転および並列交互運転のいずれのポンプ運転方式で出力するかは、交互リレー等の回路の設定を変更することにより行われる。
【００２５】
このように、この水位制御システム１Ｂでは、液面水位計３Ａから従来の液面水位計３が出力していた各形式の水位信号を出力させ、その信号を従来通りに制御盤５内のポンプ制御回路１４に入力させるようにして液面水位計３Ａを使用する。
【００２６】
次に、上述した単独交互運転モード、並列交互運転モード、自己保持モードおよび水位出力モードにおいて液面水位計３Ａから出力される信号の設定内容について説明する。
【００２７】
＜＜単独交互運転モード＞＞
図３は、単独交互運転モード時に液面水位計３Ａから出力されるポンプ駆動信号の内容を説明する図である。
【００２８】
図３に示すように、汚水槽２内には、上から順に、ＨＨ，Ｈ，Ｌの水位が設定されている。ここでは、ＨＨは、始動水位２と称され２台目ポンプ（水中ポンプ４ｂ）切換運転始動水位を規定し、Ｈは、始動水位１と称され１台目ポンプ（水中ポンプ４ａ）交互運転始動水位を規定し、Ｌは、停止水位と称されポンプ（水中ポンプ４ａ，４ｂ）運転停止水位を規定する。
【００２９】
また、制御部１８のメモリ１８ａには、上記ＨＨ，Ｈ，Ｌの水位に応じて制御部１８から出力するポンプ駆動信号として、出力１および出力２の設定が登録されている。ここで、出力１は、ポンプ２運転と称され上記設定水位に従い２台目のポンプ（水中ポンプ４ｂ）を単独交互運転させる信号であり、出力２は、ポンプ１運転と称され上記設定水位に従い１台目のポンプ（水中ポンプ４ａ）を単独交互運転させる信号である。
【００３０】
次に、単独交互運転モードにおける上記出力１および出力２の出力動作と水中ポンプ４ａ，４ｂの運転動作を図１及び図３に基づいて説明する。単独交互運転では、水中ポンプ４ａ，４ｂの運転は１台交互で２台同時運転はされないため、以下のタイミングで液面水位計３Ａから出力１および出力２が出力されて水中ポンプ４ａ，４ｂが駆動される。
【００３１】
まず、汚水槽２内の水位６が始動水位１（Ｈ）以上であることが液面水位計３Ａにより検出されると、出力２が制御部１８からポンプ駆動回路１５へ出力ＯＮされて、ポンプ駆動回路１５により水中ポンプ４ａの交互運転が始動され、水位６が停止水位（Ｌ）以下であることが検出されると、出力２が出力ＯＦＦされてその水中ポンプ４ａの交互運転が停止される。
【００３２】
そして、再度始動水位１（Ｈ）であることが検出されると、今度は出力１が制御部１８からポンプ駆動回路１５へ出力ＯＮされて、ポンプ駆動回路１５により水中ポンプ４ｂの交互運転が始動され、水位６が停止水位（Ｌ）以下であることが検出されると、出力１が出力ＯＦＦされてその水中ポンプ４ｂの交互運転が停止される。
【００３３】
そして、汚水槽２内の水位６が始動水位１（Ｈ）を越えて始動水位２（ＨＨ）以上であることが検出されると、出力２が制御部１８からポンプ駆動回路１５へ出力ＯＮされて、ポンプ駆動回路１５により水中ポンプ４ａの交互運転が始動され、その水位６が停止水位（Ｌ）以下であることが検出されると、出力２が出力ＯＦＦされてその水中ポンプ４ａの交互運転が停止される。
【００３４】
＜＜並列交互運転モード＞＞
図４は、並列交互運転モード時に液面水位計３Ａから出力されるポンプ駆動信号の内容を説明する図である。
【００３５】
汚水槽２内には、図４に示すように、上から順に、ＨＨ，Ｈ，Ｌの水位が設定されている。ここでは、ＨＨは、始動水位２と称され２台目ポンプ（水中ポンプ４ｂ）同時運転始動水位を規定し、Ｈは、始動水位１と称され１台目ポンプ（水中ポンプ４ａ）交互運転始動水位を規定し、Ｌは、停止水位と称されポンプ（水中ポンプ４ａ，４ｂ）運転停止水位を規定する。
【００３６】
また、制御部１８のメモリ１８ａには、上記ＨＨ，Ｈ，Ｌの水位に応じて制御部１８から出力するポンプ駆動信号として、出力１および出力２の設定が登録されている。ここで、出力１は、ポンプ２運転と称され上記設定水位に従い２台のポンプ（水中ポンプ４ａ，４ｂ）を並列交互運転させる信号であり、出力２は、ポンプ１運転と称され上記設定水位に従い２台のポンプ（水中ポンプ４ａ，４ｂ）を並列交互運転させる信号である。
【００３７】
次に、並列交互運転モードにおける上記出力１および出力２の出力動作と水中ポンプ４ａ，４ｂの運転動作を図１及び図４に基づいて説明する。並列交互運転では、水中ポンプ４ａ，４ｂの運転は通常１台交互で２台同時運転もなされるため、以下のタイミングで液面水位計３Ａから出力１および出力２が出力されて水中ポンプ４ａ，４ｂが駆動される。
【００３８】
まず、汚水槽２内の水位６が始動水位１（Ｈ）以上であることが液面水位計３Ａにより検出されると、出力２が制御部１８からポンプ駆動回路１５へ出力ＯＮされて、ポンプ駆動回路１５により水中ポンプ４ａの交互運転が始動され、水位６が停止水位（Ｌ）以下であることが検出されると、出力２が出力ＯＦＦされて水中ポンプ４ａの交互運転が停止される。
【００３９】
そして、再度始動水位１（Ｈ）であることが検出されると、今度は出力１が制御部１８からポンプ駆動回路１５へ出力ＯＮされて、ポンプ駆動回路１５により水中ポンプ４ｂの交互運転が始動され、水位６が停止水位（Ｌ）以下であることが検出されると、出力１が出力ＯＦＦされて水中ポンプ４ｂの交互運転が停止される。
【００４０】
そして、汚水槽２内の水位６が起動水位１（Ｈ）を越えて起動水位２（ＨＨ）以上であることが検出されると、出力２および出力１がそれぞれ制御部１８からポンプ駆動回路１５へ出力ＯＮされて、ポンプ駆動回路１５により水中ポンプ４ａ，４ｂが並列交互運転の始動され、その水位６が停止水位（Ｌ）以下であることが検出されると、出力２および出力１ともに出力ＯＦＦされて水中ポンプ４ａ，４ｂの並列交互運転が停止される。その際、停止水位（Ｌ）とは別に停止水位２（Ｌ２、例えばＬ２＞Ｌ）設定時は、始動水位２（ＨＨ）で出力ＯＮした出力が停止水位２（Ｌ２）以下で出力ＯＦＦされ、他の出力は停止水位（Ｌ）以下で出力ＯＦＦされる。
【００４１】
＜＜自己保持モード＞＞
図５は、自己保持モード時に液面水位計３Ａから出力される水位信号の内容を説明する図である。
【００４２】
汚水槽２内には、図５に示すように、上から順に、ＨＨ，Ｈ，Ｌの水位が設定されている。ここでは、ＨＨは、高水位と称され２台目ポンプ（水中ポンプ４ｂ）運転水位を規定し、Ｈは、低水位と称され１台目ポンプ（水中ポンプ４ａ）運転水位を規定し、Ｌは、停止水位と称されポンプ（水中ポンプ４ａ，４ｂ）停止水位を規定する。
【００４３】
また、制御部１８のメモリ１８ａには、上記ＨＨ，Ｈ，Ｌの水位に応じて制御部１８から出力する水位信号として、出力１および出力２の設定が登録されている。ここで、出力１は、ポンプ２運転と称され汚水槽２内の水位６が高水位（ＨＨ）以上になると出力ＯＮされ、停止水位（Ｌ）以下になるまで出力ＯＮ状態が保持される（自己保持機能）。また、出力１は、停止水位Ｌとは別に停止水位２（Ｌ２、例えばＬ２＞Ｌ）が設定されている場合は、停止水位２（Ｌ２）以下になると出力ＯＦＦされる。出力２は、低水位と称され汚水槽２内の水位６が低水位（Ｈ）以上になると出力ＯＮされ、停止水位（Ｌ）以下になるまで出力ＯＮ状態が保持される（自己保持機能）。
【００４４】
次に、自己保持モードにおける上記出力１および出力２の出力動作を図２及び図５に基づいて説明する。自己保持モードは、従来の気泡式水位計としての液面水位計３がポンプ制御回路１４へ出力していた信号と同等の信号が液面水位計３Ａから出力されるモードであるため、以下のタイミングで出力１および出力２が出力される。
【００４５】
まず、汚水槽２内の水位６が低水位１（Ｈ）以上であることが液面水位計３Ａにより検出されると、出力２が制御部１８からポンプ制御回路１４へ出力ＯＮされ、水位６が停止水位（Ｌ）以下であることが検出されると、出力２が出力ＯＦＦされる。
【００４６】
そして、汚水槽２内の水位６が低水位（Ｈ）を越えて高水位（ＨＨ）以上であることが検出されると、出力１が制御部１８からポンプ制御回路１４へ出力ＯＮされ、その水位６が停止水位（Ｌ）以下であることが検出されると、出力１が出力ＯＦＦされる。その際、停止水位２（Ｌ２）設定時は、水位６がＬ２以下になると出力１が出力ＯＦＦされる。
【００４７】
そして、上述において制御部１８からポンプ制御回路１４へ出力された出力１および出力２は、ポンプ制御回路１４において、ポンプ制御回路１４の回路設定に応じて単独交互運転又は並列交互運転のいずれかのポンプ運転方式に従うポンプ駆動信号へ変換されてポンプ駆動回路１５へ出力され、ポンプ駆動回路１５により水中ポンプ４ａ，４ｂがそのポンプ運転方式に従って運転される。
【００４８】
例えば、ポンプ制御回路１４が単独交互運転を行うように設定されている場合は、自己保持モードでの上記出力１および出力２は、ポンプ制御回路１４によって単独交互運転モードで説明した出力１および出力２と同等（同じ出力ＯＮ・ＯＦＦタイミング）のポンプ駆動信号に変換されてポンプ駆動回路１５へ出力される。そして、それらポンプ駆動信号を受け取ったポンプ駆動回路１５により水中ポンプ４ａ，４ｂがそのポンプ運転方式で運転される（詳細な説明は省略する）。
【００４９】
また、同様に、ポンプ制御回路１４が並列交互運転を行うように設定されている場合は、自己保持モードでの上記出力１および出力２は、ポンプ制御回路１４によって並列交互運転モードで説明した出力１および出力２と同等（同じ出力ＯＮ・ＯＦＦタイミング）のポンプ駆動信号に変換されてポンプ駆動回路１５へ出力される。そして、それらポンプ駆動信号を受け取ったポンプ駆動回路１５により水中ポンプ４ａ，４ｂがそのポンプ運転方式で運転される（詳細な説明は省略する）。
【００５０】
＜＜水位出力モード＞＞
図６は、水位出力モード時に液面水位計３Ａから出力される水位信号の内容を説明する図である。
【００５１】
汚水槽２内には、図６に示すように、上から順に、ＨＨ，Ｈ，Ｌの水位が設定されている。ここでは、ＨＨ，Ｈ，Ｌは、それぞれ水位１，水位２および水位３と称されて任意の水位の設定が可能とされる。
【００５２】
また、制御部１８のメモリ１８ａには、上記ＨＨ，Ｈ，Ｌの水位に応じて制御部１８から出力する水位信号として、出力１、出力２および出力３の設定が登録されている。ここで、出力１は、水位１と称され、汚水槽２内の水位６がＨＨ水位で出力ＯＮされ、その水位６がＨＨよりヒステリシス分（図ではヒステリシス値０．１の場合で示されている。以下同じ）下がると出力ＯＦＦされる信号であり、出力２は、水位２と称され、汚水槽２内の水位６がＨ水位で出力ＯＮされ、その水位６がＨよりヒステリシス分下がると出力ＯＦＦされる信号であり、出力３は、水位３と称され、汚水槽２内の水位６がＬ水位で出力ＯＮされ、その水位６がＬよりヒステリシス分下がると出力ＯＦＦされる信号である。ここでは、例えば出力１、出力２および出力３がポンプ制御回路１４（図２参照）へ出力されるように設定されているとする。
【００５３】
次に、水位出力モードにおける上記出力１、出力２および出力３の出力動作を図２及び図６に基づいて説明する。水位出力モードは、従来の投げ込み式水位計がポンプ制御回路１４へ出力していた信号と同等の信号が液面水位計３Ａから出力されるモードであるため、以下のタイミングで出力１、出力２および出力３が出力される。
【００５４】
まず、汚水槽２内の水位６が各設定水位ＨＨ，Ｈ，Ｌ以上であることが液面水位計３Ａにより検出されると、各設定水位でそれぞれ出力１，出力２，出力３が出力ＯＮされ、その設定水位からヒステリシス分下がると出力ＯＦＦされる。
【００５５】
そして、ポンプ制御回路１４へ出力された出力１、出力２および出力３は、出力保持モードで説明したと同様に、ポンプ制御回路１４において、ポンプ制御回路１４の回路設定に応じて単独交互運転又は並列交互運転のいずれかのポンプ運転方式に従うポンプ駆動信号へ変換されてポンプ駆動回路１５へ出力される。そして、それらポンプ駆動信号を受け取ったポンプ駆動回路１５により水中ポンプ４ａ，４ｂがそのポンプ運転方式に従って運転される（詳細な説明は省略する）。
【００５６】
以上のように構成された液面水位計３Ａによれば、制御部１８およびモード切換スイッチ１７を搭載し、その制御部１８のメモリ１８ａに、単独交互運転及び並列交互運転に従う各ポンプ駆動信号の設定を登録し、その登録した中から所要の設定（モード）をモード切換スイッチ１７により選択し、選択した設定に従うポンプ駆動信号を出力できるように構成されているため、従来例のように、わざわざ、圧力スイッチ１１からの所定形式の水位信号をポンプ制御回路１４によりポンプ駆動信号に変換してポンプ駆動回路１５へ出力する必要が無くなるため、従来の制御盤５からポンプ制御回路１４を削除できる。これにより制御盤５の回路構成が簡素化及び統一化が図れる利点がある。
【００５７】
更に、上記制御部１８のメモリ１８ａには、従来の液面水位計３が従来の制御盤５に出力していた所定形式（自己保持形式又は水位出力形式）の水位信号の設定が登録され、その登録の中から所要の設定をモード切換スイッチ１７により選択し、選択した設定に従う所定形式の水位信号を出力できるように構成されているため、従来の制御盤５が用いられている汚水槽２に対しても従来通りに使用でき、これにより、例えば従来の制御盤５を用いた汚水槽２において液面水位計３だけが故障した場合には、従来の制御盤５の回路を変更せずに、その故障した液面水位計３を本願の液面水位計３Ａに取り替え、その制御盤５を引き続き使用できる。
【００５８】
更に、例えば具体的に示した自己保持モード、水位出力モード、単独交互運転モード及び並列交互運転モード以外の信号の設定を新たに追加登録する場合には、単に制御部１８のメモリ１８ａに設定するソフトを改造すれば簡単に新たな設定を追加することができるという利点がある。
【００５９】
なお、この実施形態において、更に下記のような水中ポンプ４ａ，４ｂの運転制御を行わせることができる。▲１▼延長タイマ、これは、タイマ時間ポンプの運転を延長させる運転制御である。▲２▼ポンプ運転異常警報、これは、例えば水中ポンプ４ａが出力２により駆動制御される場合に、例えば水中ポンプ４ａが異常で予め設定された時間以上に稼動しても汚水槽２内の水位が下がらない場合に、強制的に出力２の出力をＯＦＦして水中ポンプ４ａを停止させ、同時に警報出力する機能である。▲３▼低流入運転、これは、水中ポンプ４ａ，４ｂがともに停止した場合に、その停止時間をカウントし、予め設定された時間例えば一週間経過しても両水中ポンプ４ａ，４ｂが駆動しない状態が続く場合は、例えば数秒間、水中ポンプ４ａ又は水中ポンプ４ｂを駆動させて汚水槽２内を撹拌させる機能である。これにより、汚水槽２内における汚泥の堆積を防止したり、汚泥の固化固着を防止できる。
【００６０】
なお、この実施形態では、液面水位計３Ａの例として気泡式水位計を用いた場合で説明したが、投げ込み式水位計を用いて本願の液面水位計３Ａを構成してもよい。その場合は、従来の投げ込み式水位計において汚水槽２の底部の水圧を検出すべく搭載されている圧力センサを、第１実施形態における圧力センサ１６と見なして、従来の投げ込み式水位計に対し、気泡式水位計３Ａと同様に、制御部１８およびモード切換スイッチ１７を搭載すればよい。
【００６１】
また、この実施形態では、ポンプ駆動回路１５が水中ポンプ４ａ、４ｂと分離して制御盤５，５Ａに搭載されている場合で説明したが、ポンプ駆動回路１５が水中ポンプ４ａ、４ｂに搭載されて水中ポンプ４ａ、４ｂと一体となっている場合は、上記実施形態においてポンプ駆動回路１５へ出力されていた上記ポンプ駆動信号および上記各形式の水位信号は、その一体となった水中ポンプ４ａ、４ｂへ出力されるように構成されることとなる。
【００６２】
なお、この実施形態では、水位制御システム１Ａ，１Ｂともに水中ポンプ４ａ、４ｂを用いたい場合で説明したが、それらのポンプは必ずしも水中ポンプである必要はなく、陸上ポンプであっても構わない。
【００６３】
【発明の効果】
請求項１に記載の発明によれば、記憶手段に、それぞれ異なるポンプ運転方式に従う各ポンプ駆動信号の設定を１つ以上登録し、その登録した中からいずれか１つの設定をモード切換スイッチにより選択し、選択した設定に従うポンプ駆動信号を出力できるように構成されているため、従来例のように、わざわざ、圧力スイッチからの所定形式の水位信号を、ポンプ制御回路によりポンプ駆動信号に変換してポンプ又はポンプ駆動回路へ出力する必要が無くなるため、従来の制御盤からポンプ制御回路が削除できる。これにより制御盤の回路構成が簡素化及び統一化が図れる利点がある。
【００６４】
また請求項１に記載の発明によれば、記憶手段に、ポンプ制御回路に応じた所定形式の信号の設定が１つ以上登録され、その登録の中からいずれか１つの設定をモード切換スイッチにより選択し、選択した設定に従う所定形式の信号を出力できるように構成されているため、ポンプ制御回路を搭載して構成された従来の制御盤が用いられている汚水槽に対しても従来通りに使用でき、これにより、例えば従来の制御盤を用いた汚水槽において従来の液面水位計だけが故障した場合には、従来の制御盤の回路を変更せずに、その故障した液面水位計を本願の液面水位計に取り替え、その制御盤を引き続き使用できる利点がある。
【図面の簡単な説明】
【図１】この発明の第１実施形態に係る液面水位計を用いた水位制御システムを説明する図である。
【図２】この発明の第１実施形態に係る液面水位計を従来の水位制御システムに用いた場合を説明する図である。
【図３】この発明の第１実施形態に係る液面水位計の単独交互運転時に出力される信号を説明する図である。
【図４】この発明の第１実施形態に係る液面水位計の並列交互運転モード時に出力される信号を説明する図である。
【図５】この発明の第１実施形態に係る液面水位計の自己保持モード時に出力される信号を説明する図である。
【図６】この発明の第１実施形態に係る液面水位計の水位出力モード時に出力される信号を説明する図である。
【図７】従来の液面水位計を用いた水位制御システムを説明する図である。
【符号の説明】
１Ａ，１Ｂ  水位制御システム
２  汚水槽
３Ａ  液面水位計
４ａ，４ｂ  水中ポンプ
５Ａ  制御盤
８  エアポンプ
１０  チューブ
１４  ポンプ制御回路
１５  ポンプ駆動回路
１６  圧力センサ
１７  モード切換スイッチ
１８  制御部
１８ａ  メモリ
【図１】
0004163372.tif 000002
【図２】
0004163372.tif 000003
【図３】
0004163372.tif 000004
【図４】
0004163372.tif 000005
【図５】
0004163372.tif 000006
【図６】
0004163372.tif 000007
【図７】
0004163372.tif 000008